(57)【特許請求の範囲】
【請求項１】
再生されるべき主情報が記録される主情報記録領域と、前記主情報の内容を示して当該再生に用いられる内容情報が夫々に記録される複数の内容情報記録領域と、を備える情報記録媒体に対して前記内容情報を記録する情報記録装置において、
複数の前記内容情報記録領域のうち、一部の当該内容情報記録領域に前記内容情報を記録する記録手段と、
前記記録された内容情報の記録結果の適否を確認する確認手段と、
前記確認された記録結果が適切な記録結果であったときのみ、当該一部の前記内容情報記録領域に記録された前記内容情報と同一の前記内容情報を他の前記内容情報記録領域に記録するように前記記録手段を制御する制御手段と、
を備えることを特徴とする情報記録装置。
【請求項２】
請求項１に記載の情報記録装置において、
前記制御手段は、前記確認された記録結果が適切な記録結果であったときのみ、当該一部の前記内容情報記録領域に記録された前記内容情報と同一の前記内容情報を他の前記内容情報記録領域に記録するように前記記録手段を制御することを、複数の前記内容情報記録領域の全てに対する同一の前記内容情報の記録が完了するまで繰り返すことを特徴とする情報記録装置。
【請求項３】
請求項１又は２に記載の情報記録装置において、
前記確認手段は、
記録された前記内容情報と同一の情報を一時的に記憶する一時記憶手段と、
記録された前記内容情報を前記内容情報記録領域から検出する検出手段と、
前記検出された内容情報と前記一時記憶手段の記憶内容とを比較し、前記記録結果の適否を判定する判定手段と、
を備えることを特徴とする情報記録装置。
【請求項４】
請求項１から３のいずれか一項に記載の情報記録装置において、
前記内容情報記録領域は前記情報記録媒体内に三箇所存在していると共に、
前記記録手段は、一度の記録につき一箇所の前記内容情報記録領域にのみ前記内容情報を記録することを特徴とする情報記録装置。
【請求項５】
再生されるべき主情報が記録される主情報記録領域と、前記主情報の内容を示して当該再生に用いられる内容情報が夫々に記録される複数の内容情報記録領域と、を備える情報記録媒体に対して前記内容情報を記録する情報記録方法において、
複数の前記内容情報記録領域のうち、一部の当該内容情報記録領域に前記内容情報を記録する記録工程と、
前記記録された内容情報の記録結果の適否を確認する確認工程と、
前記確認された記録結果が適切な記録結果であったときのみ、当該一部の前記内容情報記録領域に記録された前記内容情報と同一の前記内容情報を他の前記内容情報記録領域に記録するように制御する記録制御工程と、
を備えることを特徴とする情報記録方法。
【請求項６】
請求項５に記載の情報記録方法において、
前記記録制御工程においては、前記確認された記録結果が適切な記録結果であったときのみ、当該一部の前記内容情報記録領域に記録された前記内容情報と同一の前記内容情報を他の前記内容情報記録領域に記録するように制御することを、複数の前記内容情報記録領域の全てに対する同一の前記内容情報の記録が完了するまで繰り返すように制御することを特徴とする情報記録方法。
【発明の詳細な説明】
【０００１】
【発明の属する技術分野】
本発明は、情報記録装置及び情報記録方法の技術分野に属し、より詳細には、再生されるべき音楽情報等の主情報の内容を示し、当該主情報を再生する際に用いられる内容情報を当該主情報と共に情報記録媒体に記録する情報記録装置及び情報記録方法の技術分野に属する。
【０００２】
【従来の技術】
近年、小型で記録可能な光ディスクであるＭＤに対して圧縮された音楽情報等を記録すると共にこれを再生することが一般に行われるようになっている。
【０００３】
ここで、当該ＭＤにおいては、実際に音楽情報等が記録されるプログラム領域の内周側に隣接する領域が、いわゆるＵＴＯＣ（User  Table  Of  Contents）領域とされており、このＵＴＯＣ領域内には、プログラム領域に記録されている音楽情報等の曲数、当該音楽情報等のＭＤ上の記録範囲を示す開始アドレス及び終了アドレス、当該音楽情報等の楽曲名及び再生所要時間等により構成される目次情報（ＵＴＯＣ情報）が、当該音楽情報に対応する目次情報として記録されている。
【０００４】
そして、記録されている音楽情報等の再生時においては、この目次情報の内容を参照しつつ、例えば、ランダム再生或いはスキップ再生等の再生制御が実行されることとなる。
【０００５】
次に、当該目次情報の記録の態様について説明する。
【０００６】
当該目次情報は、ＭＤに対して必要な音楽情報等の記録又は編集の処理を行った後、そのＭＤを取り出す（すなわち、ＭＤレコーダから排出する）直前にＵＴＯＣ領域内に記録される。このとき、新たな目次情報（すなわち、当該記録又は編集後のプログラム領域に記録されている音楽情報等の内容を示す目次情報）は、それまでの古い目次情報上に上書きするように記録される。
【０００７】
より具体的には、当該ＭＤレコーダの電源をオンとした後、必要な音楽情報等の記録又は編集を行い、その後ＭＤを当該ＭＤレコーダから排出する旨の操作が為されると、先ず、当該排出されるＭＤ上のＵＴＯＣ領域内の空き領域を用いて当該排出に当たって記録すべき目次情報の試行記録が行われる。そして、その試行記録の結果が適切な記録結果であった場合のみ、実際に必要な目次情報のＵＴＯＣ領域内への記録（上書き記録）を行い、然る後にＭＤを排出する構成となっていた。
【０００８】
ここで、当該試行記録を実行するのは、目次情報を上書き記録するに当たって記録用の磁気ヘッドに不具合が生じていると、例えば検出不能な状態で新しい目次情報を記録してしまい、結果として当該新しい目次情報だけでなく上記記録又は編集が実行される直前の音楽情報等を示す古い目次情報まで消去してしまうこととなり、その後の再生処理において当該ＭＤ上には何ら音楽情報等が記録されていないと認識されることとなるからである。
【０００９】
【発明が解決しようとする課題】
しかしながら、上記従来のＭＤレコーダでは、上記試行記録は、ＭＤレコーダの電源がオンとされてからそれがオフとされるまでの間については、当該オンとした後の最初の目次情報記録時（すなわち、当該オンとされた後最初に実行された記録又は編集の処理が完了した後のＭＤ排出時）にのみ実行される構成となっていた。
【００１０】
従って、一度試行記録が実行されて目次情報の記録が実行された後に、ＭＤレコーダの電源をオフとせずに他のＭＤに対する記録・編集処理が実行された場合等においては、上記試行記録は実行されないこととなる。
【００１１】
そして、一度試行記録が実行された後当該他のＭＤに対する目次情報の記録までの間に上記磁気ヘッドに不具合が発生すると、上述したように新しい目次情報だけでなく新たな記録又は編集が実行される直前の音楽情報等を示す古い目次情報まで消去してしまうこととなる場合があるという問題点があった。
【００１２】
このとき、近年では車載用のＭＤレコーダも商品化されつつあるが、温度変化が激しく振動が多い環境下で使用される当該車載用のＭＤレコーダにおいては、磁気ヘッドに不具合が発生する可能性も非常に高くなることとなり、よって上述したような問題点がより深刻に現出することとなる。
【００１３】
そこで、本発明は、上記した各問題点に鑑みて為されたもので、その課題は、音楽情報等の再生の際に必要となる目次情報が全て破壊されてしまうことを防止しつつ当該目次情報を記録することが可能な情報記録装置及び情報記録方法を提供することにある。
【００１４】
【課題を解決するための手段】
上記の課題を解決するために、請求項１に記載の発明は、再生されるべき主情報が記録される主情報記録領域と、前記主情報の内容を示して当該再生に用いられる内容情報が夫々に記録される複数の内容情報記録領域と、を備える情報記録媒体に対して前記内容情報を記録する情報記録装置において、複数の前記内容情報記録領域のうち、一部の当該内容情報記録領域に前記内容情報を記録するピックアップ等の記録手段と、前記記録された内容情報の記録結果の適否を確認するＣＰＵ等の確認手段と、前記確認された記録結果が適切な記録結果であったときのみ、当該一部の前記内容情報記録領域に記録された前記内容情報と同一の前記内容情報を他の前記内容情報記録領域に記録するように前記記録手段を制御するＣＰＵ等の制御手段と、を備える。
【００１５】
よって、確認された記録結果が適切な記録結果であったときのみ同一の内容情報を他の内容情報記録領域に記録するので、不適切な記録結果となる状態で一部の内容情報記録領域に内容情報が記録されても、同じ状態で他の内容情報記録領域に内容情報が記録されることを防止することができ、当該他の内容情報記録領域に既に内容情報が記録されている場合においてその破壊を防止することができる。
【００１６】
上記の課題を解決するために、請求項２に記載の発明は、請求項１に記載の情報記録装置において、前記制御手段は、前記確認された記録結果が適切な記録結果であったときのみ、当該一部の前記内容情報記録領域に記録された前記内容情報と同一の前記内容情報を他の前記内容情報記録領域に記録するように前記記録手段を制御することを、複数の前記内容情報記録領域の全てに対する同一の前記内容情報の記録が完了するまで繰り返すように構成される。
【００１７】
よって、適切な記録結果が得られる状態で全ての内容情報記録領域に内容情報を記録することができる。
【００１８】
上記の課題を解決するために、請求項３に記載の発明は、請求項１又は２に記載の情報記録装置において、前記確認手段は、記録された前記内容情報と同一の情報を一時的に記憶する書き込みイメージバッファ等の一時記憶手段と、記録された前記内容情報を前記内容情報記録領域から検出するピックアップ等の検出手段と、前記検出された内容情報と前記一時記憶手段の記憶内容とを比較し、前記記録結果の適否を判定するＣＰＵ等の判定手段と、を備える。
【００１９】
よって、簡易な構成で迅速に記録結果の適否を判定できる。
【００２０】
上記の課題を解決するために、請求項４に記載の発明は、請求項１から３のいずれか一項に記載の情報記録装置において、前記内容情報記録領域は前記情報記録媒体内に三箇所存在していると共に、前記記録手段は、一度の記録につき一箇所の前記内容情報記録領域にのみ前記内容情報を記録するように構成される。
【００２１】
よって、再生時に重要とされるが故にバックアップが必要とされる内容情報を迅速且つ確実に検索可能に記録することができる。
【００２２】
上記の課題を解決するために、請求項５に記載の発明は、再生されるべき主情報が記録される主情報記録領域と、前記主情報の内容を示して当該再生に用いられる内容情報が夫々に記録される複数の内容情報記録領域と、を備える情報記録媒体に対して前記内容情報を記録する情報記録方法において、複数の前記内容情報記録領域のうち、一部の当該内容情報記録領域に前記内容情報を記録する記録工程と、前記記録された内容情報の記録結果の適否を確認する確認工程と、前記確認された記録結果が適切な記録結果であったとき、当該一部の前記内容情報記録領域に記録された前記内容情報と同一の前記内容情報を他の前記内容情報記録領域に記録するように制御する記録制御工程と、を備える。
【００２３】
よって、確認された記録結果が適切な記録結果であったときのみ同一の内容情報を他の内容情報記録領域に記録するので、不適切な記録結果となる状態で一部の内容情報記録領域に内容情報が記録されても、同じ状態で他の内容情報記録領域に内容情報が記録されることを防止することができ、当該他の内容情報記録領域に既に内容情報が記録されている場合においてその破壊を防止することができる。
【００２４】
上記の課題を解決するために、請求項６に記載の発明は、請求項５に記載の情報記録方法において、前記記録制御工程においては、前記確認された記録結果が適切な記録結果であったときのみ、当該一部の前記内容情報記録領域に記録された前記内容情報と同一の前記内容情報を他の前記内容情報記録領域に記録するように制御することを、複数の前記内容情報記録領域の全てに対する同一の前記内容情報の記録が完了するまで繰り返すように制御するように構成される。
【００２５】
よって、適切な記録結果が得られる状態で全ての内容情報記録領域に内容情報を記録することができる。
【００２６】
【発明の実施の形態】
次に、本発明に好適な実施の形態について、図面に基づいて説明する。
【００２７】
なお、以下に説明する実施の形態においては、従来と同様の記録フォーマットを有するＭＤに対して上記目次情報（ＵＴＯＣ情報）を書き込む場合について本発明を適用した場合について説明する。
【００２８】
（Ｉ）ＭＤフォーマットの実施形態
先ず、本発明の実施形態について説明する前に、ＭＤに用いられているＭＤフォーマット（ＭＤに音楽情報等のオーディオ情報を記録するために採用されている記録フォーマット）について、一般的に図１乃至図３を用いて説明する。
【００２９】
なお、図１は当該ＭＤの全体構成を示す図であり、図２はＭＤにおける領域分割の単位であるクラスタの構成を示す図であり、図３は上記目次情報が記録されるＭＤ上の領域であるＵＴＯＣ領域の構成を示す図である。
【００３０】
先ず、記録可能なＭＤの全体構成を、図１を用いて説明する。
【００３１】
図１に示すように、当該ＭＤ１は、内周から外周に向けて、再生のみが可能なＴＯＣ（Table  Of  Contents）領域ＴＡと、上記目次情報が記録されるＵＴＯＣ領域ＵＡと、再生すべきオーディオ情報が記録されるプログラム領域ＰＧと、ＭＤ１に記録されている情報の再生を終了するための終了情報等が予め記録されており新たな情報が記録されることはないリードアウト領域ＬＯと、により構成されている。
【００３２】
このうち、最内周のＴＯＣ領域ＴＡには、ＵＴＯＣ領域ＵＡ、プログラム領域ＰＧ及びリードアウト領域ＬＯの各領域のＭＤ１上における開始アドレスや推奨する記録レーザーパワー値等の、記録を行うために必要な情報が予め情報ピットにより記録されている。
【００３３】
次に、ＵＴＯＣ領域ＵＡには、後述するように、プログラム領域ＰＧに記録されているオーディオ情報のＭＤ１上の開始アドレス及び終了アドレス並びに当該オーディオ情報を示す楽曲名及び曲数並びに再生時間情報等を含む目次情報等が記録され、例えばオーディオ情報の記録後又は消去等の編集が為される度にその記録後のオーディオ情報又は編集後のオーディオ情報を示す目次情報が上書きされる。
【００３４】
更に、プログラム領域ＰＧには、例えば圧縮処理が施されたオーディオ情報が記録される。
【００３５】
このとき、上記ＵＴＯＣ領域ＵＡ、プログラム領域ＰＧ及びリードアウト領域ＬＯ内には、予め蛇行した案内溝が形成されており、ＭＤ１の記録を行うために必要な絶対アドレスが記録されている。
【００３６】
次に、ＭＤ１に対するオーディオ情報の記録のための最小記録単位であるセクタを含むクラスタの構成について、図２を用いて説明する。
【００３７】
図２に示すように、ＭＤ１上における記録の最小単位はセクタＳＴであり、３６個のセクタＳＴにより一のクラスタＣＴが構成されている。
【００３８】
このとき、各クラスタＣＴにはクラスタアドレスが付与されているが、このクラスタアドレスはＭＤ１の内周から外周へ向かって単調増加するように付与されている。
【００３９】
また、一のクラスタＣＴは、３２個のセクタＳＴよりなる主情報セクタＭＳと、３個のセクタＳＴよりなるリンクセクタＬＳと、１個のセクタＳＴよりなる補助情報セクタＳＳにより構成されている。
【００４０】
ここで、当該各セクタＳＴにも図２に示す如く夫々セクタアドレスが付与されており、具体的には、主情報セクタＭＳ内のセクタＳＴに対しては「００（Ｈ（「Ｈ」は１６進数を示す。以下、同様。））」乃至「１Ｆ（Ｈ）」が付与されており、リンクセクタＬＳ内のセクタＳＴに対しては「ＦＣ（Ｈ）」乃至「ＦＥ（Ｈ）」が付与されており、補助情報セクタＳＳを構成するセクタＳＴには「ＦＦ（Ｈ）」が付与されている。
【００４１】
一方、一のセクタＳＴは、２３３２バイトのデータエリアＤＡと、セクタＳＴの先頭を示す同期信号ＳＹと、クラスタアドレス、セクタアドレス等を含むヘッダ情報ＨＤと、４バイトのゼロデータと、により構成されている。
【００４２】
そして、主情報セクタＭＳを構成するセクタＳＴのデータエリアＤＡ内には圧縮処理が施されたオーディオ情報が記録され、補助情報セクタＳＳを構成するセクタＳＴのデータエリアＤＡにはオーディオ情報に付加される文字情報等の補助情報が記録される。
【００４３】
ここで、ＭＤ１への記録動作はクラスタＣＴを単位として実行され、アドレス「ＦＤ（Ｈ）」を有するセクタＳＴの中央で、繋ぎ記録、すなわち記録開始及び記録停止を行うことが規格化されている。これにより、アドレス「ＦＤ（Ｈ）」を有するセクタＳＴに対応する繋ぎ記録前後の位置では記録されたオーディオ情報が不連続となる可能性が高いため、誤り訂正符号におけるいわゆる距離を考慮して、アドレス「ＦＤ（Ｈ）」を有するセクタＳＴの前後にあるところのアドレス「ＦＣ（Ｈ）」を有するセクタＳＴ及びアドレス「ＦＥ（Ｈ）」を有するセクタＳＴを含む３個のセクタＳＴにより構成される上記リンクセクタＬＳが設けられているのである。このとき、リンクセクタＬＳを構成する各セクタＳＴ内のデータエリアＤＡには全て「０」データが記録されており、有効なデータを記録することはできないこととされている。
【００４４】
また、ＵＴＯＣ領域ＵＡ内に記録される目次情報も同様にセクタＳＴの単位で構成されており、当該ＵＴＯＣ領域ＵＡへの記録動作はクラスタＣＴの単位で実行される。
【００４５】
次に、本発明に係るＵＴＯＣ領域ＵＡの構成について、図３を用いて説明する。
【００４６】
図３に示すように、ＵＴＯＣ領域ＵＡは４８個のクラスタＣＴにより構成され、上記目次情報はアドレス「０３（Ｈ）」を有する第１クラスタＣＴ１、アドレス「０４（Ｈ）」を有する第２クラスタＣＴ２及びアドレス「０５（Ｈ）」を有する第３クラスタＣＴ３の３個のクラスタＣＴにより構成される目次情報領域ＣＴＡ内にのみに記録される。
【００４７】
一方、アドレス「０２（Ｈ）」を有するクラスタＣＴは、プログラム領域ＰＧ等内にオーディオ情報等を記録する際の光ビームにおける最適な記録パワーを実際に記録／再生して設定する際に使用される情報が記録されるＰＣ（Power  Calibration）エリアＰＣとされており、残りの４４個のクラスタＣＴは夫々リザーブＲＺとされている。
【００４８】
他方、目次情報が記録される上記目次情報領域ＣＴＡ内の３個のクラスタＣＴ（第１クラスタＣＴ１乃至第３クラスタＣＴ３）には相互に同一の目次情報が記録されることが規格化されており、更に当該第１クラスタＣＴ１乃至第３クラスタＣＴ３内においてはアドレス「００（Ｈ）」乃至「０７（Ｈ）」を有するセクタＳＴが定義付けされており、残りの２４個のセクタＳＴはリザーブＲＺとされている。
【００４９】
このとき、ＵＴＯＣセクタ０と称されるアドレス「００（Ｈ）」を有するセクタＳＴは必須のセクタであり、オーディオ情報の記録開始アドレス及び記録終了アドレス等を目次情報として記録する。
【００５０】
なお、第１クラスタＣＴ１乃至第３クラスタＣＴ３に相互に同一の目次情報を記録することとしているのは、同じ目次情報を連続して繰り返し記録することで、オーディオ情報の再生時に重要とされる目次情報についてそのバックアップを確保すると共に、当該目次情報の再生時において容易且つ迅速に当該目次情報を検索することを可能とするためのである。
【００５１】
また、他のセクタＳＴ内に記録される情報はオプションとされており、オーディオ情報の楽曲名等を目次情報として記録することができることとされている。更に、リザーブＲＺとされているセクタＳＴ及び当該オプションとされている未使用のセクタＳＴには、全て「０」データが記録される。
【００５２】
（II）実施形態
次に、上述した記録フォーマットを有するＭＤに対して目次情報及びオーディオ情報を記録する実施形態に係る情報記録再生装置の構成及び動作について、図４乃至図７を用いて説明する。
【００５３】
なお、図４は実施形態に係る情報記録再生装置の概要構成を示すブロック図であり、図５は実施形態に係る目次情報記録処理を示すフローチャートであり、図６は実施形態に係る目次情報の記録態様を説明する図であり、図７は実施形態に係る目次情報の記録過程において記録エラーが発生した場合について説明する図である。
【００５４】
先ず、実施形態に係る情報記録再生装置の概要構成及び動作について図４を用いて説明する。
【００５５】
図４に示すように、実施形態に係る情報記録再生装置Ｓは、記録手段及び検出手段としてのピックアップ２と、アンプ３と、記録再生部４と、確認手段、制御手段及び判定手段としてのＣＰＵ５と、操作部６と、Ａ／Ｄ（Analog／Digital）コンバータ７と、Ｄ／Ａ（Digital／Analog）コンバータ８と、サーボＩＣ（Integrated  Circuit）９と、スピンドルモータ１０と、磁気ヘッド１１と、により構成されている。
【００５６】
また、記録再生部４は、共にＲＡＭ（Random  Access  Memory）等よりなる一時記憶手段としての書き込みイメージバッファ４Ａ及び比較用バッファ４Ｂを含んでいる。
【００５７】
次に、概要動作を説明する。
【００５８】
先ず、ＭＤ１に記録されているオーディオ情報を再生する場合の動作について説明する。
【００５９】
当該情報再生時において、スピンドルモータ１０は、サーボＩＣ９からのスピンドル駆動信号Ｓcsに基づいて、ＭＤ１を予め設定された回転数で回転させる。
【００６０】
そして、ピックアップ２は、回転するＭＤ１上の再生位置に情報再生用の一定強度を有する光ビームＢを集光しつつ照射し、当該照射した光ビームＢのＭＤ１からの反射光を受光してＭＤ１に記録されているオーディオ情報に対応する検出信号Ｓppを生成してアンプ３に出力する。
【００６１】
このとき、当該光ビームＢの集光位置とＭＤ１の情報記録面内の情報トラックの位置との当該情報記録面に垂直な方向及び水平な方向のずれは、光ビームＢを集光するための図示しない対物レンズが、サーボＩＣ９からのピックアップサーボ信号Ｓspに基づいて当該垂直な方向又は水平な方向に移動されることにより（すなわち、いわゆるフォーカスサーボ制御及びトラッキングサーボ制御が実行されることにより）解消される。
【００６２】
次に、アンプ３は、検出信号Ｓppについて予め設定された増幅率による増幅処理を施し、増幅検出信号Ｓapを生成して記録再生部４へ出力する。
【００６３】
これと並行して、アンプ３は、検出信号Ｓppから光ビームＢの集光位置と上記情報トラックの位置との上記垂直な方向及び水平な方向のずれを示すエラー信号Ｓe（具体的には、当該垂直な方向のずれを示すフォーカスエラー信号及び当該水平な方向のずれを示すトラッキングエラー信号を含む。）を生成してサーボＩＣ９へ出力する。
【００６４】
これらにより、サーボＩＣ９は、ＣＰＵ５からの制御信号Ｓssに基づいて、エラー信号Ｓeのレベルが夫々にゼロレベルとなるように上記ピックアップサーボ信号Ｓspを生成してピックアップ２へ出力すると共に、上記スピンドル駆動信号Ｓcsを生成してスピンドルモータ１０へ出力する。これらにより、上述したフォーカスサーボ制御及びトラッキングサーボ制御が実行されると共に、いわゆるスピンドルサーボ制御が実行されつつＭＤ１が回転される。
【００６５】
一方、記録再生部４は、ＣＰＵ５からの制御信号Ｓcに基づいて、アンプ３から出力された上記増幅検出信号Ｓapに対して予め設定された復号処理を施し、ＭＤ１に記録されていたオーディオ情報に対応する復号信号Ｓpdを生成してＤ／Ａコンバータ８へ出力する。
【００６６】
そして、Ｄ／Ａコンバータ８は、当該復号信号Ｓpdをアナログ化し、上記オーディオ情報に対応する再生信号Ｓoutとして外部の図示しないスピーカ等に出力する。
【００６７】
以上の諸動作により、ＭＤ１に記録されているオーディオ情報の再生処理が実行される。
【００６８】
次に、ＭＤ１にオーディオ情報を記録する場合の動作について説明する。
【００６９】
先ず、ＭＤ１に記録すべきオーディオ情報Ｓrが外部から入力されると、Ａ／Ｄコンバータ７は当該オーディオ情報Ｓrをディジタル化し、ディジタルオーディオ信号Ｓrdを生成して記録再生部４へ出力する。
【００７０】
次に、記録再生部４は、ＣＰＵ５からの制御信号Ｓcに基づいて、当該ディジタルオーディオ信号Ｓrdに対して予め設定された圧縮符号化処理を施し、符号化信号Ｓhcを生成して磁気ヘッド１１へ出力する。
【００７１】
これと並行して、ピックアップ２は、ＭＤ１上の上記情報トラックにおけるオーディオ情報Ｓrを記録すべき記録位置に対して、上記情報再生用の一定強度よりも強い一定の強度を有する光ビームＢを照射する。
【００７２】
このとき、当該ＭＤ１は、情報再生時と同様にスピンドル駆動信号Ｓcsに基づいてスピンドルモータ１０が駆動されることにより予め設定された回転数で回転されている。
【００７３】
更に、上記情報記録用の光ビームＢの集光位置とＭＤ１内の上記記録位置との情報記録面に垂直な方向及び水平な方向のずれは、情報再生時と同様にフォーカスサーボ制御及びトラッキングサーボ制御が実行されることにより解消される。
【００７４】
これらにより、磁気ヘッド１１は、情報記録用の高強度の光ビームＢが照射されることにより温度が上昇した情報トラック上の記録位置の磁化の方向を符号化信号Ｓhcに基づいて変更する。この磁化方向の変更により符号化信号Ｓhcが上記情報トラック上に磁化の方向の変化として記録されることとなり、これによりオーディオ情報ＳrがＭＤ１上に記録されることとなる。
【００７５】
上述した記録処理及び再生処理の実行において、ＣＰＵ５は、操作部６において使用者が行った操作（情報記録再生装置Ｓの動作を制御すべく実行された操作）に対応して当該操作部６から出力される操作信号Ｓinに基づいて、上記各構成部材を制御して上記記録処理及び再生処理を実行させるべく、上記制御信号Ｓc及びＳssを生成して夫々記録再生部４及びサーボＩＣ９へ出力する。
【００７６】
そして、一連のオーディオ情報Ｓrの記録処理が終了し、ＭＤ１を情報記録再生装置Ｓから排出する旨の操作が操作部６において実行されると、ＣＰＵ５は、上述したオーディオ情報Ｓrの記録処理の場合と同様の磁化方向の変化を用いて目次情報を上記ＵＴＯＣ領域ＵＡを構成する目次情報領域ＣＴＡ内の第１クラスタＣＴ１乃至第３クラスタＣＴ３に記録すべく記録再生部４を制御するための制御信号Ｓcを生成して当該記録再生部４に出力する。
【００７７】
これにより、当該記録再生部４は、上記書き込みイメージバッファ４Ａ及び比較用バッファ４Ｂを用いて以下に示す本発明に係る目次情報の記録処理を実行し、当該第１クラスタＣＴ１乃至第３クラスタＣＴ３内の夫々に同一の目次情報を記録する。
【００７８】
次に、本発明に係る目次情報の記録処理について、図５乃至図７を用いて説明する。
【００７９】
図５に示すように、実施形態の目次情報記録処理においては、初めに、現在実行されようとしている目次情報の記録処理が、情報記録再生装置Ｓの電源をオンとした後に最初に実行される目次情報の記録処理であるか否かが判定される（ステップＳ１）。
【００８０】
このステップＳ１の処理は、具体的には、記録再生部４内の図示しないメモリ内に設定されているフラグであって電源オン後の目次情報の記録回数（換言すれば、ＭＤ１の排出回数）を示すフラグの内容を確認することにより実行される。
【００８１】
そして、電源オン後最初の目次情報記録処理でないときは（ステップＳ１；ＮＯ）そのままステップＳ４へ移行し、一方、電源オン後最初の目次情報記録処理であるときは（ステップＳ１；ＹＥＳ）、次に、ＵＴＯＣ領域ＵＡ内の上記第１クラスタＣＴ１乃至第３クラスタＣＴ３以外の領域のうちの空いている領域を用いて目次情報の試行記録が実行される（ステップＳ２）。
【００８２】
その後、当該試行記録の結果が良好な記録結果であるか否かが判定される（ステップＳ３）。このとき、当該ステップＳ３の処理について具体的には、試行記録された目次情報と同一の目次情報を一時的に書き込みイメージバッファ４Ａ内に記憶しておくと共に、試行記録された目次情報をその直後にＭＤ１上の記録位置から検出し、これを比較用バッファ４Ｂに記憶する。そして、当該書き込みイメージバッファ４Ａの記憶内容と比較用バッファ４Ｂの記憶内容とを比較し、それらが一致していれば適切な記録結果が得られていると判定し、一方、それらが一致していなければ、磁気ヘッド１１における何らかの不具合の発生等に起因して試行記録について不適切な記録結果が得られたと判定する。
【００８３】
そして、ステップＳ３の判定において、試行記録について不適切な結果が得られたときは（ステップＳ３；ＮＯ）、そのまま目次情報の記録を継続すると、これから記録すべき新たな目次情報が適切に記録されないばかりか、今回の記録又は編集の直前のＭＤ１の記録内容を示す当該直前の目次情報まで破壊されることとなるので、その場合には、目次情報の記録がエラーとなることを表示すると共に目次情報の記録を中止して（ステップＳ１０）処理を終了する。
【００８４】
一方、ステップＳ３の判定において、試行記録について適切な記録結果が得られたときは（ステップＳ３；ＹＥＳ）、次に、目次情報領域ＣＴＡ内の第１クラスタＣＴ１に対してのみ目次情報を記録する（ステップＳ４）。
【００８５】
そして、当該第１クラスタＣＴ１への目次情報の記録が適切な記録結果が得られるものであったか否かが判定される（ステップＳ５）。このとき、当該ステップＳ５の処理について具体的には、上記ステップＳ３における判定処理と同様に、第１クラスタＣＴ１に記録された目次情報と同一の目次情報が書き込まれているイメージバッファ４Ａの記憶内容と、当該記録された直後に検出された目次情報が記憶されている比較用バッファ４Ｂの記憶内容と、を比較し、それらが一致していれば適切な記録結果が得られていると判定し、一方、それらが一致していなければ不適切な記録結果が得られたと判定する。
【００８６】
ステップＳ５の判定により、第１クラスタＣＴ１への記録が不適切な記録結果となるものであったときは（ステップＳ５；ＮＯ）、このまま他のクラスタへの目次情報の記録を継続すると第１クラスタＣＴ１乃至第３クラスタＣＴ３の全てについて、新たな目次情報が適切に記録されないばかりか直前のＭＤ１の記録内容を示す当該直前の目次情報まで破壊されることとなるので、目次情報の記録を中止し、上記ステップＳ１０へ移行して処理を終了する。
【００８７】
一方、ステップＳ５の判定により、第１クラスタＣＴ１への記録が適切な記録結果となるものであったときは（ステップＳ５；ＹＥＳ）、引き続きステップＳ６へ移行する。
【００８８】
ここで、ステップＳ５におけるいずれかの判定が終了した直後の各クラスタの記録状態について図６及び図７について説明する。
【００８９】
先ず、図６に示すように、ステップＳ４の処理前に第１クラスタＣＴ１乃至第３クラスタＣＴ３内の全てに直前までのＭＤ１の記録内容を示す目次情報（以下、当該目次情報を目次情報Ａとする。）が記録されていたとすると、ステップＳ５の判定が適切な記録結果であった場合には（ステップＳ５；ＹＥＳ）、図６に示すように、第１クラスタＣＴ１のみが今回の記録又は編集処理に対応する新たな目次情報（以下、当該目次情報を目次情報Ｂとする。）に書き換えられていると共に第２クラスタＣＴ２及び第３クラスタＣＴ３については目次情報Ａが記録された状態が維持される。
【００９０】
従って、次の再生処理の際には、第１クラスタＣＴ１に記録されている目次情報Ｂを参照することで、最後に（すなわち、図５に示す処理が実行される直前に）行われた記録又は編集処理の内容で当該再生処理を行うことができる。
【００９１】
一方、ステップＳ４の処理前に第１クラスタＣＴ１乃至第３クラスタＣＴ３内の全てに目次情報Ａが記録されており、更にステップＳ５の判定が不適切な記録結果であった場合には（ステップＳ５；ＮＯ）、図７（ａ）に示すように、第１クラスタＣＴ１のみがエラー状態（すなわち、目次情報Ｂが検出できない状態）に書き換えられていると共に第２クラスタＣＴ２及び第３クラスタＣＴ３については当該目次情報Ａが記録された状態が維持される。
【００９２】
従って、次の再生処理の際には、図５に示す処理が実行される直前に行われた記録又は編集処理の内容は消去されてしまっているものの、第２クラスタＣＴ２又は第３クラスタＣＴ３に記録されている目次情報Ａを参照することで、更にその前に実行された記録又は編集処理（すなわち、目次情報Ａによりその内容が示されている記録又は編集処理）の内容で当該再生処理を行うことができる。
【００９３】
再び図５に戻って、第１クラスタＣＴ１への目次情報Ｂの記録が良好な記録結果が得られるものであったときは（ステップＳ５；ＹＥＳ）、次に、目次情報領域ＣＴＡ内の第２クラスタＣＴ２に対してのみ目次情報Ｂを記録する（ステップＳ６）。
【００９４】
そして、当該第２クラスタＣＴ２への目次情報Ｂの記録が適切な記録結果が得られるものであったか否かが判定される（ステップＳ７）。このとき、当該ステップＳ７の処理について具体的には、上記ステップＳ３又はＳ５における判定処理と同様の方法により記録結果の適否が判定される。
【００９５】
ステップＳ７の判定により、第２クラスタＣＴ２への記録が不適切な記録結果となるものであったときは（ステップＳ７；ＮＯ）、このまま第３クラスタＣＴ３への目次情報の記録を継続すると第２クラスタＣＴ２及び第３クラスタＣＴ３の双方について、新たな目次情報Ｂが適切に記録されないばかりか直前の目次情報Ａまで破壊されることとなるので、目次情報Ｂの記録を中止し、上記ステップＳ１０へ移行して処理を終了する。
【００９６】
一方、ステップＳ７の判定により、第２クラスタＣＴ２への記録が適切な記録結果となるものであったときは（ステップＳ７；ＹＥＳ）、引き続きステップＳ８へ移行する。
【００９７】
ここで、ステップＳ７におけるいずれかの判定が終了した直後の各クラスタの記録状態について図６及び図７について説明する。
【００９８】
先ず、図６に示すように、ステップＳ６の処理前においては、第１クラスタＣＴ１には目次情報Ｂが記録され、更に第２クラスタＣＴ２及び第３クラスタＣＴ３内には目次情報Ａが記録されているのであるが、この場合にステップＳ７の判定が適切な記録結果であった場合には（ステップＳ７；ＹＥＳ）、図６に示すように、第１クラスタＣＴ１及び第２クラスタＣＴ２が目次情報Ｂに書き換えられていると共に第３クラスタＣＴ３については目次情報Ａが記録された状態が維持される。
【００９９】
従って、次の再生処理の際には、第１クラスタＣＴ１又は第２クラスタＣＴ２に記録されている目次情報Ｂを参照することで、図５に示す処理が実行される直前に行われた記録又は編集処理の内容で当該再生処理を行うことができる。
【０１００】
一方、第１クラスタＣＴ１には目次情報Ｂが記録され、更に第２クラスタＣＴ２及び第３クラスタＣＴ３内には目次情報Ａが記録されている場合に、ステップＳ７の判定が不適切な記録結果であった場合には（ステップＳ７；ＮＯ）、図７（ｂ）に示すように、第２クラスタＣＴ２は上記エラー状態に書き換えられているが、第１クラスタＣＴ１は目次情報Ｂに書き換えられ、第３クラスタＣＴ３には目次情報Ａがそのまま記録維持されていることとなる。
【０１０１】
従って、次の再生処理の際には、第１クラスタＣＴ１に記録されている目次情報Ｂを参照することで、図５に示す処理が実行される直前に行われた記録又は編集処理の内容で当該再生処理を行うことができる。
【０１０２】
更に図５に戻って、第２クラスタＣＴ２への目次情報Ｂの記録が良好な記録結果が得られるものであったときは（ステップＳ７；ＹＥＳ）、次に、目次情報領域ＣＴＡ内の第３クラスタＣＴ３に対してのみ目次情報Ｂを記録する（ステップＳ８）。
【０１０３】
そして、当該第３クラスタＣＴ３への目次情報Ｂの記録が適切な記録結果が得られるものであったか否かが判定される（ステップＳ９）。このとき、当該ステップＳ９の処理について具体的には、上記ステップＳ３又はＳ５或いはＳ７における判定処理と同様の方法により記録結果の適否が判定される。
【０１０４】
ステップＳ９の判定により、第３クラスタＣＴ３への記録が不適切な記録結果となるものであったときは（ステップＳ９；ＮＯ）、磁気ヘッド１１が目次情報の記録を今後継続することができる状態にないとして、目次情報Ｂの記録を中止し、上記ステップＳ１０へ移行して処理を終了する。
【０１０５】
一方、ステップＳ９の判定により、第３クラスタＣＴ３への記録が適切な記録結果となるものであったときは（ステップＳ９；ＹＥＳ）、全ての目次情報の記録が良好に完了しているとしてそのまま処理を終了する。
【０１０６】
なお、この後は、通常通りに情報記録再生装置ＳからのＭＤ１の排出が実行される。
【０１０７】
ここで、ステップＳ９におけるいずれかの判定が終了した直後の各クラスタの記録状態について図６及び図７について説明する。
【０１０８】
先ず、図６に示すように、ステップＳ８の処理前においては、第１クラスタＣＴ１及び第２クラスタＣＴ２には目次情報Ｂが記録され、更に第３クラスタＣＴ３内には目次情報Ａが記録されているのであるが、この場合にステップＳ９の判定が適切な記録結果であった場合には（ステップＳ９；ＹＥＳ）、図６に示すように、第１クラスタＣＴ１乃至第３クラスタＣＴ３の全てが目次情報Ｂに書き換えられている。
【０１０９】
従って、次の再生処理の際には、第１クラスタＣＴ１乃至第３クラスタＣＴ３に記録されている目次情報Ｂのいずれかを参照することで、図５に示す処理が実行される直前に行われた記録又は編集処理の内容で当該再生処理を行うことができる。
【０１１０】
一方、第１クラスタＣＴ１及び第２クラスタＣＴ２には目次情報Ｂが記録され、更に第３クラスタＣＴ３内には目次情報Ａが記録されている場合に、ステップＳ９の判定が不適切な記録結果であった場合には（ステップＳ９；ＮＯ）、図７（ｃ）に示すように、第３クラスタＣＴ３は上記エラー状態に書き換えられているが、第１クラスタＣＴ１及び第２クラスタＣＴ２は目次情報Ｂに書き換えられている。
【０１１１】
従って、次の再生処理の際には、第１クラスタＣＴ１又は第２クラスタＣＴ２に記録されている目次情報Ｂを参照することで、図５に示す処理が実行される直前に行われた記録又は編集処理の内容で当該再生処理を行うことができる。
【０１１２】
以上説明したように、実施形態の目次情報記録処理によれば、確認された記録結果が適切な記録結果であったときのみ同一の目次情報を目次情報領域ＣＴＡ内の次のクラスタＣＴに記録するので、不適切な記録結果となる状態で目次情報が一のクラスタＣＴに記録されても、同じ状態で当該次のクラスタＣＴに目次情報が記録されることを防止することができ、当該次のクラスタＣＴに既に目次情報が記録されている場合においてその破壊を防止することができる。
【０１１３】
また、確認された記録結果が適切な記録結果であったときのみ、同一の目次情報を記録することを、第１クラスタＣＴ１乃至第３クラスタＣＴ３の全てに対して同一の目次情報の記録が完了するまで繰り返すので、適切な記録結果が得られる状態で第１クラスタＣＴ１乃至第３クラスタＣＴ３に目次情報を記録することができる。
【０１１４】
更に、比較用バッファ４Ｂの記憶内容と書き込みイメージバッファ４Ａの記憶内容とを比較して記録結果の適否を判定するので、簡易な構成で迅速に記録結果の適否を判定できる。
【０１１５】
更にまた、目次情報を記録する領域がＭＤ１内に三箇所存在していると共に、一度の記録につき一箇所の上記クラスタＣＴにのみ目次情報を記録するので、再生時に重要とされるが故にバックアップが必要とされる目次情報を迅速且つ確実に検索可能に記録することができる。
【０１１６】
また、ＭＤ１に記録されているオーディオ情報Ｓrの再生時において必要な目次情報を、適切に検出可能に記録することができる。
【０１１７】
更に、目次情報が曲数情報及び再生時間情報を少なくとも含んでいるので、オーディオ情報Ｓrを再生する際に必要な曲数情報等を確実に検出可能に記録することができる。
【０１１８】
なお、上述した実施形態は、同一の目次情報を記録するクラスタＣＴが三箇所に設けられている場合について説明したが、これ以外に、四箇所以上複数の当該クラスタＣＴが設けられている場合に本発明を適用することもできる。
【０１１９】
この場合には、当該四箇所以上のクラスタＣＴに同一の目次情報を記録する際に、一回の目次情報の記録につき一つのみの当該クラスタＣＴに記録することを当該クラスタＣＴの数だけ繰り返すこととなる。
【０１２０】
また、上述の実施形態では、一回の目次情報の記録につき、一箇所のクラスタＣＴにのみ当該目次情報を記録する場合について説明したが、これ以外に、目次情報を記録すべきクラスタＣＴの数未満の数であれば、二以上の当該クラスタＣＴに一度に目次情報を記録するように構成することもできる。
【０１２１】
更に、上述の実施形態における目次情報以外に、ＭＤ１に記録されているオーディオ情報等（音声情報を含む。）の内容を示す内容情報であって当該オーディオ情報の再生の際に検出されて当該再生に用いられる内容情報をＭＤ１上の複数の領域に同一内容で記録する場合に本発明を適用することもできる。
【０１２２】
更にまた、ＭＤ１以外の他の情報記録媒体に対して、当該情報記録媒体に記録される記録情報の内容を示す内容情報であって当該記録情報の再生の際に検出されて当該再生に用いられる内容情報を当該情報記録媒体上の複数の領域に同一内容で記録する場合に本発明を適用することも可能である。
【０１２３】
【発明の効果】
以上説明したように、請求項１に記載の発明によれば、確認された記録結果が適切な記録結果であったときのみ同一の内容情報を他の内容情報記録領域に記録するので、不適切な記録結果となる状態で一部の内容情報記録領域に内容情報が記録されても、同じ状態で他の内容情報記録領域に内容情報が記録されることを防止することができ、当該他の内容情報記録領域に既に内容情報が記録されている場合においてその破壊を防止することができる。
【０１２４】
従って、全ての内容情報記録領域が不適切な記録結果となることを防止することができ、主情報の再生の際に必要となる内容情報が全て破壊されてしまうことを防止することができる。
【０１２５】
請求項２に記載の発明によれば、請求項１に記載の発明の効果に加えて、確認された記録結果が適切な記録結果であったときのみ、同一の内容情報を他の内容情報記録領域に記録するように制御することを、複数の内容情報記録領域の全てに対する同一の内容情報の記録が完了するまで繰り返すので、適切な記録結果が得られる状態で全ての内容情報記録領域に内容情報を記録することができる。
【０１２６】
請求項３に記載の発明によれば、請求項１又は２に記載の発明の効果に加えて、検出された内容情報と一時記憶手段の記憶内容とを比較して記録結果の適否を判定するので、簡易な構成で迅速に記録結果の適否を判定できる。
【０１２７】
請求項４に記載の発明によれば、請求項１から３のいずれか一項に記載の発明の効果に加えて、内容情報記録領域が情報記録媒体内に三箇所存在していると共に、一度の記録につき一箇所の内容情報記録領域にのみ内容情報を記録するので、再生時に重要とされるが故にバックアップが必要とされる内容情報を迅速且つ確実に検索可能に記録することができる。
【０１２８】
請求項５に記載の発明によれば、確認された記録結果が適切な記録結果であったときのみ同一の内容情報を他の内容情報記録領域に記録するので、不適切な記録結果となる状態で一部の内容情報記録領域に内容情報が記録されても、同じ状態で他の内容情報記録領域に内容情報が記録されることを防止することができ、当該他の内容情報記録領域に既に内容情報が記録されている場合においてその破壊を防止することができる。
【０１２９】
従って、全ての内容情報記録領域が不適切な記録結果となることを防止することができ、主情報の再生の際に必要となる内容情報が全て破壊されてしまうことを防止することができる。
【０１３０】
請求項６に記載の発明によれば、請求項５に記載の発明の効果に加えて、確認された記録結果が適切な記録結果であったときのみ、同一の内容情報を他の内容情報記録領域に記録するように制御することを、複数の内容情報記録領域の全てに対する同一の内容情報の記録が完了するまで繰り返すので、適切な記録結果が得られる状態で全ての内容情報記録領域に内容情報を記録することができる。
【図面の簡単な説明】
【図１】ＭＤの全体構成を示す図である。
【図２】クラスタの構成を示す図である。
【図３】ＵＴＯＣ領域の構成を示す図である。
【図４】実施形態の情報記録再生装置の概要構成を示すブロック図である。
【図５】実施形態の目次情報の記録処理を示すフローチャートである。
【図６】良好に目次情報が記録された場合の各クラスタの記録状態を示す図である。
【図７】良好に目次情報が記録されなかった場合の各クラスタの記録状態を示す図であり、（ａ）は第１クラスタへの記録が不良であった場合の当該記録状態を示す図であり、（ｂ）は第２クラスタへの記録が不良であった場合の当該記録状態を示す図であり、（ｃ）は第３クラスタへの記録が不良であった場合の当該記録状態を示す図である。
【符号の説明】
１…ＭＤ
２…ピックアップ
３…アンプ
４…記録再生部
４Ａ…書込みイメージバッファ
４Ｂ…比較用バッファ
５…ＣＰＵ
６…操作部
７…Ａ／Ｄコンバータ
８…Ｄ／Ａコンバータ
９…サーボＩＣ
１０…スピンドルモータ
１１…磁気ヘッド
Ｓ…情報記録再生装置
Ｂ…光ビーム
ＴＡ…ＴＯＣ領域
ＵＡ…ＵＴＯＣ領域
ＰＧ…プログラム領域
ＬＯ…リードアウト領域
ＣＴ…クラスタ
ＳＴ…セクタ
ＬＳ…リンクセクタ
ＳＳ…補助情報セクタ
ＭＳ…主情報セクタ
ＳＹ…同期信号
ＨＤ…ヘッダ情報
ＤＡ…データエリア
ＲＺ…リザーブ
ＰＣ…ＰＣエリア
ＣＴＡ…目次情報領域
ＣＴ１…第１クラスタ
ＣＴ２…第２クラスタ
ＣＴ３…第３クラスタ
Ｓcs…スピンドル駆動信号
Ｓpp…検出信号
Ｓsp…ピックアップサーボ信号
Ｓap…増幅検出信号
Ｓe…エラー信号
Ｓss、Ｓc…制御信号
Ｓpd…復号信号
Ｓout…再生信号
Ｓr…オーディオ情報
Ｓrd…ディジタルオーディオ信号
Ｓhc…符号化信号
Ｓin…操作信号
【図１】
0003825954.tif 000002
【図２】
0003825954.tif 000003
【図３】
0003825954.tif 000004
【図４】
0003825954.tif 000005
【図５】
0003825954.tif 000006
【図６】
0003825954.tif 000007
【図７】
0003825954.tif 000008